(57)【要約】【課題】簡単に刺繍布の張りなおしのできる刺繍枠を提供する。【解決手段】本考案の刺繍枠（１）は、外枠（２）と内枠（３）とで構成されており、外枠は、内周方向に凸状の第１フランジ（４）を有しており、内枠は、外周方向に凸状のフランジであって、第１フランジに全周に渡って面接触するが、外枠の第１フランジの基点から予め定めた間隔をあけた縁を有する第２フランジ（６）を有しており、外枠は、第１フランジに第２フランジを面接触し、圧着するように、内枠を外枠に押圧固定する固定部（５）を、第１フランジ沿いに複数備えている、ことを特徴とする。当該構成を採用することによって、１つ又はその近傍の固定部について、固定している状態を保ちつつ、その他の固定部を解除することによって、外枠の第１フランジと内枠の第２フランジとの間に挟んだ刺繍布を均一に張りなおすことができる。【選択図】図１
0003218207.tif 000002
【実用新案登録請求の範囲】
【請求項１】
刺繍枠であって、外枠と内枠とで構成されており、
前記外枠は、内周方向に凸状の第１フランジを有しており、
前記内枠は、外周方向に凸状のフランジであって、前記第１フランジに全周に渡って面接触するが、前記外枠の第１フランジの基点から予め定めた間隔をあけた縁を有する第２フランジを有しており、
前記外枠は、前記第１フランジに第２フランジを面接触し、圧着するように、前記内枠を前記外枠に押圧固定する固定部を、前記第１フランジ沿いに複数備えている、ことを特徴とする刺繍枠。
【請求項２】
前記外枠の固定部の内、１つ又はその近傍の固定部は、他の固定部による押圧固定を解除した場合に、第２フランジを第１フランジに圧着している端部を枢軸に、前記１つ又はその近傍の固定部に向かい合う側にある前記内枠の第２フランジを、第１フランジとの面接触を解除するように持ち上げ可能にする揺動機構を有している、請求項１に記載の刺繍枠。
【請求項３】
前記刺繍布用の外枠及び内枠は矩形で、当該外枠の１つの辺上にある前記固定部は、当該１つの辺上にある前記固定部以外の、他の３辺上にある固定部による押圧固定を解除した場合に、第２フランジを第１フランジに圧着している端部を枢軸に、前記１つの辺上にある固定部に向かい合う側にある前記内枠の第２フランジを持ち上げ可能にする揺動機構を有している、請求項２に記載の刺繍枠。
【請求項４】
前記固定部は、前記揺動機構として機能するばねワッシャーを介して、前記外枠に取り付けられている、請求項２又は請求項３に記載の刺繍枠。
【請求項５】
前記第２フランジの四隅は面取り処理されて、前記第１フランジの四隅と重ならない部分を有している、請求項３に記載の刺繍枠。
【請求項６】
前記内枠の第２フランジの前記第１フランジに面する側の縁は、Ｒ面取り又は面取り処理が施されており、
前記外枠の第１フランジの前記第２フランジに面する側の縁は、Ｒ面取り又は面取り処理が施されている、請求項１乃至請求項５の何れか一項に記載の刺繍枠。
【請求項７】
請求項１乃至請求項６の何れかに記載の刺繍枠用の台であって、
刺繍枠の固定部と嵌合し、刺繍枠の位置を固定する凹部を有している、ことを特徴とする刺繍枠用の台。
【請求項８】
刺繍枠の固定部に嵌合し、固定した状態で、当該刺繍枠の面を自在に傾斜可能とする支持部を有している、請求項７に記載の刺繍枠用の台。
【考案の詳細な説明】
【技術分野】
【０００１】
本考案は、刺繍枠と、刺繍枠用の台に関する。
【背景技術】
【０００２】
刺繍枠としては、円形の２重枠で刺繍布を挟むタイプのものが一般に知られている。また、図１４に示すように、広い作業領域を得るため、比較的面積の広い矩形の枠で、上面の四辺隅に溝を備え、この溝に刺繍布を布止ゴムで固定するタイプの刺繍枠が提案されている（特許文献１を参照）。
【先行技術文献】
【特許文献】
【０００３】
【特許文献１】特許第６０１８７９３号公報
【考案の概要】
【考案が解決しようとする課題】
【０００４】
しかし、円形の２重枠で刺繍布を挟むタイプの刺繍枠、及び、溝に布止ゴムで固定するタイプの刺繍枠は、刺繍布を均一に張るのが難しく、技能を要する。また、刺しゅうを施している間に、布の張が無くなってしまった場合、再度均一に張りなおすにも技能を要する。
【０００５】
本考案は、上記従来例の問題を解決するためになされたものであり、特別な技能を要さず、技術的に、刺繍布を均一に張り易く、更には張りなおしの容易な刺繍枠と、当該刺繍枠用の台を提供することを目的とする。
【課題を解決するための手段】
【０００６】
上記目的を達成するために本考案は、刺繍枠であって、外枠と内枠とで構成されており、前記外枠は、内周方向に凸状の第１フランジを有しており、前記内枠は、外周方向に凸状のフランジであって、前記第１フランジに全周に渡って面接触するが、前記外枠の第１フランジの基点から予め定めた間隔をあけた縁を有する第２フランジを有しており、前記外枠は、前記第１フランジに第２フランジを面接触し、圧着するように、前記内枠を前記外枠に押圧固定する固定部を、前記第１フランジ沿いに複数備えている、ことを特徴とする刺繍枠。
【０００７】
前記外枠の固定部の内、１つ又はその近傍の固定部は、他の固定部による押圧固定を解除した場合に、第２フランジを第１フランジに圧着している端部を枢軸に、前記１つ又はその近傍の固定部に向かい合う側にある前記内枠の第２フランジを、第１フランジとの面接触を解除するように持ち上げ可能にする揺動機構を有している、ことが好ましい。
【０００８】
前記刺繍布用の外枠及び内枠は矩形で、当該外枠の１つの辺上にある前記固定部は、当該１つの辺上にある前記固定部以外の、他の３辺上にある固定部による押圧固定を解除した場合に、第２フランジを第１フランジに圧着している端部を枢軸に、前記１つの辺上にある固定部に向かい合う側にある前記内枠の第２フランジを持ち上げ可能にする揺動機構を有している、ことが好ましい。
【０００９】
固定部は、前記揺動機構として機能するばねワッシャーを介して、前記外枠に取り付けられている、ことが好ましい。
【００１０】
前記第２フランジの四隅は面取り処理されて、前記第１フランジの四隅と重ならない部分を有している、ことが好ましい。
【００１１】
前記内枠の第２フランジの前記第１フランジに面する側の縁は、Ｒ面取り又は面取り処理が施されており、前記外枠の第１フランジの前記第２フランジに面する側の縁は、Ｒ面取り又は面取り処理が施されている、ことが好ましい。
【００１２】
また、前記何れかに記載の刺繍枠用の台であって、刺繍枠の固定部と嵌合し、刺繍枠の位置を固定する凹部を有している、ことを特徴とする。
【００１３】
また、刺繍枠の固定部に嵌合し、固定した状態で、当該刺繍枠の面を自在に傾斜可能とする支持部を有している、ことが好ましい。
【考案の効果】
【００１４】
本考案によれば、１つ又はその近傍の固定部について、固定している状態を保ちつつ、その他の固定部を解除することによって、外枠の第１フランジと内枠の第２フランジとの間に挟んだ刺繍布を均一に張り直すことができる。また、揺動機構を有する好ましい構成の刺繍枠では、１つの辺上にある固定部で刺繍布の一辺をしっかりと固定した状態で、その他の固定部で固定していた内枠を持ち上げ可能になるため、一層容易に刺繍布を均一に張り直すことができる。
【図面の簡単な説明】
【００１５】
【図１】本考案の一実施の形態に係る刺繍枠及び当該刺繍枠用の台を示す分解斜視図。
【図２】刺繍枠用の台に刺繍枠を載せた状態を示す斜視図。
【図３】外枠及び内枠で構成される刺繍枠の外枠の（ａ）底面図、（ｂ）長手方向の断面図、（ｃ）短手方向の断面図。
【図４】外枠及び内枠で構成される刺繍枠の内枠の（ａ）正面図（ｂ）長手方向の断面図、（ｃ）短手方向の断面図。
【図５】刺繍枠の外枠の底面を上に向け、刺繍布を被せた状態を示す写真
【図６】刺繍枠用の台から、刺繍枠を持ち上げ、表裏反転させた底面の構成を示す斜視図。
【図７】刺繍枠の外枠の底面に設けてある全ての固定部によって、内枠を固定した後に、表裏反転させた状態の刺繍枠の正面図を示す写真。
【図８】刺繍枠用の台から、刺繍枠を持ち上げた状態を示す斜視図。
【図９】刺繍布を取り付けた刺繍枠を、刺繍枠用の台に乗せた状態を示す写真。
【図１０】刺繍枠の内枠を、少し持ち上げた状態を示す底面の斜視図。
【図１１】刺繍枠の内枠を、少し持ち上げた状態の長手方向の断面図、及び、一部拡大図。
【図１２】刺繍枠の外枠の底面の１つの辺に設けてある固定部によって、内枠を固定し、他辺側を持ち上げた状態を示す写真。
【図１３】内枠の変形例を示す図。
【図１４】従来の刺繍枠の斜視図。
【考案を実施するための形態】
【００１６】
本考案の刺繍枠は、外枠と内枠とで構成されている。外枠は、内周方向に凸状の第１フランジを有している。内枠は、外周方向に凸状のフランジであって、外枠の第１フランジに全周に渡って面接触するが、外枠の第１フランジの基点から予め定めた間隔をあけた縁を有する第２フランジを有している。外枠は、記第１フランジに第２フランジを面接触し、圧着するように、内枠を外枠に押圧固定する固定部を、第１フランジ沿いに複数備えている。第１フランジに沿って設けられている複数の固定部によって刺繍布を第２フランジに面接触させて固定する方式を採用するため、１つ又はその近傍の固定部について、固定している状態を保ちつつ、その他の固定部を解除することによって、面接触の加圧箇所を部分的に解除でき、外枠の第１フランジと内枠の第２フランジとの間に挟んだ刺繍布を均一に張り直すことができる。
【００１７】
また、好ましくは、外枠の固定部の内、１つ又はその近傍の固定部は、他の固定部による押圧固定を解除した場合に、第２フランジを第１フランジに圧着している端部を枢軸に、前記１つ又はその近傍の固定部に向かい合う側にある前記内枠の第２フランジを、第１フランジとの面接触を解除するように持ち上げ可能にする揺動機構を有する。当該構成を採用することによって、１つの辺上にある固定部で刺繍布の一辺をしっかりと固定した状態で、その他の固定部で固定していた内枠を持ち上げ可能になるため、一層容易に刺繍布を均一に張り直すことができる。
【００１８】
本考案の一実施の形態に係る刺繍枠１と、当該刺繍枠用の台１００について添付の図面を参照しつつ説明する。
【００１９】
図１は、刺繍枠１と台１００との分解斜視図を示す。本実施形態に示す刺繍枠１と台１００は、木製のものを採用している。本図において、刺繍枠１は底面を上に向けて描かれている。刺繍枠１に刺繍布２００（図７を参照）をセットする際、刺繍枠１の底面を上に向けて行う。刺繍枠１は、外枠２と、内枠３とで構成されている。
【００２０】
外枠２は、長手方向４４２mm、短手方向３４２ｍｍの矩形枠で、その内周方向に凸状の第１フランジ４が設けられている。第１フランジ４の縁によって形成される開口部のサイズは長手方向３８２ｍｍ、短手方向２８２ｍｍで、２９７ｍｍ×２１０ｍｍのＡ４サイズより少し大きなサイズである。更に、外枠２の底面側には、第１フランジ４に沿って、内枠３を外枠２に押圧固定する複数の固定部５が設けられている。固定部５は、直方体の小塊で、外枠２にねじ留めされており、当該ねじを枢軸に回動可能に取り付けられている。さらに、固定部５は、周知のばねワッシャーを使って固定されており（図１１を参照）、上下方向に僅かに揺動可能となっている。固定部５は、直方体の長手方向中間位置よりいずれかの端寄りに偏芯したところに、ねじによる枢軸を有しており、固定部５の向きを９０度変えることによって（図６を参照）内枠３を押圧固定することができる。
【００２１】
内枠３は、長手方向３８１ｍｍ、短手方向２８１ｍｍの矩形枠で、その外周方向に凸状の第２フランジ６が設けられている。
【００２２】
台１００は、支持部１０１と、刺繍枠１を置いた場合に嵌合して刺繍枠１を固定する載置枠１０２とで構成されている。支持部１０１は、載置枠１０２の長手方向の幅間隔で上方に突出している１対の載置枠支持部１０３を有している。載置枠１０２は、両方の短手辺から下方に突出している半円状の回動用支持部１０４を有している。載置枠支持部１０３と、回動用支持部１０４とは、図中点線で示す軸１０５に沿って貫通している支持棒１０６によって、載置枠１０２の傾斜を自在に調節可能に取り付けられている。載置枠１０２は、上側の刺繍枠１を受ける面に、刺繍枠１の底面側を載置された場合に、各々の固定部５が嵌る複数の凹部１０7を周沿いに有している。前記載置枠支持部１０３と、回動用支持部１０４と、これらを回動可能に連結する支持棒１０６とは、刺繍枠１の固定部５に嵌合し、固定した状態で、当該刺繍枠１の面を自在に傾斜可能とする支持部を構成する。
【００２３】
図２は、刺繍枠１を、底面（図１に上向きに表していた側）を台１００の載置枠１０２に向け、各固定部５が凹部１０７に嵌るように載置した状態を示す。刺繍作業は、この状態で行う。
【００２４】
図３は、外枠２の構成、特に第１フランジ４の構成を説明するため図で、（ａ）は外枠２の底面図、（ｂ）は外枠２の底面図のα-α’矢視断面図、（ｃ）は底面図のβ-β’矢視断面図を示す。外枠２は、厚さ１８ｍｍで、表面（図面下側）から厚みＴ１＝９．５ｍｍで、内周方向にＬ１＝９．５ｍｍ突出している第１フランジ４を有している。第１フランジ４の内枠３の第２フランジ６に面する側の縁は、Ｒ面取り又は面取り処理が施されている。この面取り処理の直径は、第１フランジ４の突出方向の長さＬ１の２／３程度であることが好ましい。本例ではＬ１が９.５ｍｍなので、Ｒ面取り又は面取り処理する直径Φは6ｍｍ程度であることが好ましい。
【００２５】
図４は、内枠３の構成、特に第２フランジ６の構成を説明するための図で、（ａ）は内枠の正面図、（ｂ）は内枠３の正面図のγ-γ’矢視断面図、（ｃ）は正面図のθ-θ’矢視断面図を示す。内枠３は、厚さ１８ｍｍで、底面（図面下側）から厚みＴ２＝８．５ｍｍで、外周方向にＬ２＝９．５ｍｍ突出している第２フランジ６を有している。第２フランジ６の枠２の第１フランジ４に面する側の縁は、Ｒ面取り又は面取り処理が施されている。この面取り処理の直径は、第２フランジ６の突出方向の長さＬ２の２／３程度であることが好ましい。本例ではＬ２が９.5ｍｍなので、Ｒ面取り又は面取り処理する直径Φは6ｍｍ程度であることが好ましい。第２フランジ６は、外枠２の第１フランジ４に全周に渡って面接触するが、第１フランジ４の基点から予め定めた間隔（約０．５ｍｍ）をあけた縁を有する。
【００２６】
図３、図４に示すように、内枠３の第２フランジ６が第１フランジ４に面する側の縁をＲ面取り又は面取り処理し、外枠２の第１フランジ４が第２フランジ６に面する側の縁をＲ面取り又は面取り処理する構成を採用する。これにより、固定部５を外した際に第１フランジ４及び第２フランジ６の間に挟んでいた刺繍布２００（図５を参照）を張り直しのために引っ張ったときの、無用の引っ掛かりを無くし、刺繍布２００に傷が付くのを防ぐ。
【００２７】
図５は、本考案の刺繍枠１の実施品を用いて、外枠２の第１フランジ４と内枠３の第２フランジ６との間に刺繍布２００を挟んだ状態を示す写真である。刺繍枠１の固定部５は、刺繍布２００を、第１フランジ４と第２フランジ６とを面接触するように押圧することによって固定する。第１フランジ４の縁は内枠３に当接しておらず、同様に、第２フランジ６の縁は外枠２に当接していない。このため、一般に厚さ０．１ｍｍ程度の刺繍布２００は、第１フランジ４と第２フランジ６との面接触の圧が解除されると、張り直しのために引っ張り動かすことができる。
【００２８】
図６は、外枠２に内枠３を嵌め、第１フランジ４上に第２フランジ６を置き、固定部５によって第２フランジ６を押圧している状態にした刺繍枠１の斜視図である。なお、台１００の載置枠１０２は、刺繍枠１の固定部５を嵌めるための凹部１０７が設けられているだけで、他に突起物が無い。刺繍枠１の表面も特に突起物は無いので、刺繍枠１の底面を上に向けて刺繍布２００を挟む作業は、この載置枠１０２上に刺繍枠１を載置して行うことができる。また、載置枠１０２上に刺繍枠１の底面を上に向けた状態で使用することもできる（図５を参照）。この場合、内枠３と刺繍布２００とで形成される容器状の空間に、軽い刺繍道具を載せた状態で、刺繍処理を行えるので便利である。
【００２９】
図７は、前記手順で、刺繍布２００を挟んだ状態の刺繍枠１を正面側からみた写真である。外枠２の固定部５を構成する機構は、刺繍枠１の正面側には何ら突起部分が出ないように、ナット５ｃ（図１１を参照）が埋め込み処理されている。
【００３０】
図８は、刺繍枠１を台１００の載置枠１０２上に置く際の斜視図を示す。図示するように、載置枠１０２の凹部１０７は、刺繍枠１の固定部５が嵌るように位置決めされている。
【００３１】
図９は、本考案の刺繍枠１に刺繍布２００を取り付け、台１００の載置枠１０２に載置した状態を示す写真である。図示するように、取り付けられた刺繍布２００は、外枠２の第１フランジ４の先端と、内枠３との隙間にガイドされて刺繍枠１の下方に向けられるので、刺繍処理しやすいといった利点を有する。
【００３２】
図１０は、刺繍布２００を刺繍枠１にセットした直後、または、刺繍処理を行っている間にできた、刺繍布２００のたるみを無くし、均一に張りなおすときの様子を示す斜視図である。第１フランジ４に沿って設けられている複数の固定部５によって刺繍布２００を第２フランジ６に面接触させて固定する方式を採用するため、１つ又はその近傍の固定部５について、固定している状態を保ちつつ、その他の固定部５を解除することによって、面接触の加圧箇所を部分的に解除でき、外枠２の第１フランジ４と内枠３の第２フランジ６との間に挟んだ刺繍布２００を均一に張り直すことができる。
【００３３】
外枠２及び内枠３は矩形となっているので、外枠２の１つの辺上にある固定部５について圧着固定状態を保ち、その他の辺にある固定部５による押圧固定を解除して、第２フランジ６を持ち上げる。
【００３４】
図１１は、図１０に示すように、第２フランジ６の一方を持ち上げたとき、固定部５によって圧着固定されている部分を拡大した図を示す。固定部５は、直方体の本体５ａ、ねじ５ｂ、外枠２内に埋め込まれたナット５ｃと、本体５ａを上下方向に僅かに揺動可能にするため、前記ねじ５ｂとナット５ｃとの間に設けたばねワッシャー５ｄとで構成されている。ばねワッシャー５ｄの作用によって１つの辺上にある固定部５が上下に揺動可能となり、第２フランジ６を第１フランジ４に圧着している端部を枢軸に、当該１つの辺上にある固定部５に向かい合う側にある内枠３の第２フランジ６を持ち上げ可能にする揺動機構が構成される。当該構成を採用することによって、１つの辺上にある固定部５で刺繍布２００の一辺をしっかりと固定した状態で、その他の固定部５で固定していた内枠３を持ち上げ可能になるため、一層容易に刺繍布を均一に張り直すことができる。
【００３５】
図１２は、本考案の刺繍枠１の実施品に刺繍布２００を取り付け、第２フランジ６の一方を持ち上げた状態を示す写真である。図示するように、固定部５は、ばねワッシャーの作用によって揺動可能になっているので、ねじ５ｂを刺繍布２００がずれたりしない範囲で揺動可能にするため微妙に緩めるなどの技能は不要である。
【００３６】
図１３に示すように、刺繍枠１の変形例として、第２フランジ６の四隅を面取り処理し、第１フランジ４の四隅と重ならない面取り処理部分７を設けても良い。当該構成を採用することによって、厚みのある刺繍布の使用が可能になるだけでなく、四隅のところで、刺繍布２００に皺が付くのを軽減することができ、比較的大きなサイズの布地を、皺を余り付けずに刺繍できる。なお、前述するように、第１フランジ４と第２フランジ６とは面接触するが、第１フランジ４の縁は内枠３に当接せず、同様に、第２フランジ６の縁は外枠２に当接しない、という条件を満たす限りにおいて、内枠３のサイズを小さくすれば、一般に厚さ０．１ｍｍ程度の刺繍布だけでなく、より厚みのある、被服又は袋物用の布地、さらには絨毯のような布も刺繍処理することが可能である。
【００３７】
なお、本考案は、上記各種実施形態の構成に限られず、考案の趣旨を変更しない範囲で種々の変形が可能である。例えば、刺繍枠１の外枠２、内枠３は、矩形のものを採用したが、正方形を含め、三角形、５角形等の多角形又は円形のものに対しても、本考案は実施可能である。この場合でも、１つ又はその近傍の固定部５について、固定している状態を保ちつつ、その他の固定部５を解除することによって、面接触の加圧箇所を部分的に解除でき、外枠２の第１フランジ４と内枠３の第２フランジ６との間に挟んだ刺繍布２００を均一に張りなおすことができる。
【００３８】
また、台１００は、本実施の形態において示した刺繍枠１のサイズ（Ａ４サイズより少し大きなサイズ）のみに対応するものでは無く、例えば、その半分のサイズ（例えばＡ５サイズより少し大きなサイズ）の枠、または、その２倍のサイズ（例えばＡ３サイズより少し大きなサイズ）の枠を用意し、縦横方向を刺繍枠１とは９０度回転させた姿勢で、１又は複数の凹部１０７に嵌る位置に固定部５を設けるようにしても良い。これにより、複数種のサイズの刺繍枠を用いることができる。
【００３９】
本実施の形態では刺繍枠１及び当該刺繍枠用の台１００は、木製であるが、これに限らず、プラスチック樹脂、金属で一部又は全部を構成することも可能である。
【００４０】
更には、刺繍枠用の台１００について、載置枠１０２を省略し、刺繍枠１の何れかの向かい合う一対の辺に直接、回動用支持部１０４及び載置枠支持部１０３を含む脚を、着脱可能に取り付ける構成を採用しても良い。載置枠支持部１０３に関し、下方で連結されていない構造を採用すれば、持ち運び時の容積を小さくすることができる。なお、台１００の回動性が求められない場合には、更に簡易な構成の、着脱可能な脚を用いることができることは、言うまでもない。
【産業上の利用可能性】
【００４１】
本考案の刺繍枠１は、刺繍布に限らず、１枚の布の一部分に、張りを持たせた状態で加工を施す必要のある場合に、用いることができる。
【符号の説明】
【００４２】
１              刺繍枠
２              外枠
３              内枠
４              第１フランジ
５              固定部
６              第２フランジ
７              第１フランジと重ならない面取り処理部分
１００          刺繍枠用の台
１０１          支持部
１０２          載置枠
１０７          凹部
【図１】
0003218207.tif 000003
【図２】
0003218207.tif 000004
【図３】
0003218207.tif 000005
【図４】
0003218207.tif 000006
【図５】
0003218207.tif 000007
【図６】
0003218207.tif 000008
【図７】
0003218207.tif 000009
【図８】
0003218207.tif 000010
【図９】
0003218207.tif 000011
【図１０】
0003218207.tif 000012
【図１１】
0003218207.tif 000013
【図１２】
0003218207.tif 000014
【図１３】
0003218207.tif 000015
【図１４】
0003218207.tif 000016